(57)【特許請求の範囲】
【請求項１】
矩形の面板の周縁にフランジが立設された薄肉箱状のケースと、ケース内に収納されケースの面板に形成された開口を介してケースの外内へ出没するレバーと、レバーを駆動する駆動装置とを備え、自動販売機の商品通路の下端部に配設された軸部材と係合して自動販売機に取り付けられ、商品通路内に積層されて収納された商品を順次商品通路から搬出する自動販売機の商品搬出装置であって、商品通路の下端部に配設された軸部材との係合部が、ケースの一側のフランジと、該フランジに対峙する他側のフランジに近接して面板に且つ前記開口縁に立設されたフランジとに形成されており、一対の商品搬出装置が向い合わせに突き合わされて商品通路の下部に配設された時に、前記一対の商品搬出装置が、商品通路の下端部に配設された共通の軸部材に係合することを特徴とする自動販売機の商品搬出装置。
【発明の詳細な説明】
【０００１】
【発明の属する技術分野】
本発明は、矩形の面板の周縁にフランジが立設された薄肉箱状のケースと、ケース内に収納されケースの面板に形成された開口を介してケースの外内へ出没するレバーと、レバーを駆動する駆動装置とを備え、自動販売機の商品通路の下端部に配設された軸部材と係合して自動販売機に取り付けられ、商品通路内に積層されて収納された商品を順次商品通路から搬出する自動販売機の商品搬出装置に関するものである。
【０００２】
【従来の技術】
矩形の面板の周縁にフランジが立設された薄肉箱状のケースと、ケース内に収納されケースの面板に形成された開口を介してケースの外内へ出没するレバーと、レバーを駆動する駆動装置とを備え、自動販売機の商品通路の下端部に配設された軸部材と係合して自動販売機に取り付けられ、商品通路内に積層されて収納された商品を順次商品通路から搬出する自動販売機の商品搬出装置が、特開平５−３０７６７６に開示されている。
特開平５−３０７６７６の商品搬出装置においては、商品通路の下端部に配設された軸部材との係合部が、ケースの一側のフランジと、前記一側のフランジに対峙するケースの他側のフランジとに形成されている。
【０００３】
【発明が解決しようとする課題】
特開平５−３０７６７６の商品搬出装置は、一対の商品搬出装置を向かい合わせに突き合わせた状態で、自動販売機の商品通路の下端部に配設される。一対の商品搬出装置を向かい合わせに突き合わせると、ケースの周縁に立設されたフランジも突き合わされる。従って、一方の商品搬出装置のケースのフランジに形成された取付け用軸部材との係合部と、他方の商品搬出装置のケースのフランジに形成された取付け用軸部材との係合部も、互いに突き合わされることになり、同一直線上には整列しない。この結果、向かい合わせに突き合わされた一対の商品搬出装置に対して夫々別個の取り付け用軸部材が必要となる。
本発明は上記問題点に鑑みてなされたものであり、矩形の面板の周縁にフランジが立設された薄肉箱状のケースと、ケース内に収納されケースの面板に形成された開口を介してケースの外内へ出没するレバーと、レバーを駆動する駆動装置とを備え、自動販売機の商品通路の下端部に配設された軸部材と係合して自動販売機に取り付けられ、商品通路内に積層されて収納された商品を順次商品通路から搬出する自動販売機の商品搬出装置であって、向かい合わせに突き合わされた一対の商品搬出装置の取付け用軸部材との係合部を、共通の取り付け用軸部材に係合させることができる自動販売機の商品搬出装置を提供することを目的とする。
【０００４】
【課題を解決するための手段】
上記課題を解決するために、本発明においては、矩形の面板の周縁にフランジが立設された薄肉箱状のケースと、ケース内に収納されケースの面板に形成された開口を介してケースの外内へ出没するレバーと、レバーを駆動する駆動装置とを備え、自動販売機の商品通路の下端部に配設された軸部材と係合して自動販売機に取り付けられ、商品通路内に積層されて収納された商品を順次商品通路から搬出する自動販売機の商品搬出装置であって、商品通路の下端部に配設された軸部材との係合部が、ケースの一側のフランジと、該フランジに対峙する他側のフランジに近接して面板に且つ前記開口縁に立設されたフランジとに形成されており、一対の商品搬出装置が向い合わせに突き合わされて商品通路の下部に配設された時に、前記一対の商品搬出装置が、商品通路の下端部に配設された共通の軸部材に係合することを特徴とする自動販売機の商品搬出装置を提供する。
【０００５】
本発明に係る自動販売機の商品搬出装置においては、商品通路の下端部に配設された軸部材との係合部が、ケースの一側のフランジと、該フランジに対峙する他側のフランジに近接して面板に且つ前記開口縁に立設されたフランジとに形成されているので、一対の商品搬出装置を向かい合わせに突き合わせても、一方の商品搬出装置の取付け用軸部材との係合部と、他方の商品搬出装置の取付け用軸部材との係合部とは、互い違いになり、突き合わされない。従って、フランジの高さを調整することにより、一対の商品搬出装置を向かい合わせに突き合わせた状態で、一方の商品搬出装置の取付け用軸部材との係合部と、他方の商品搬出装置の取付け用軸部材との係合部とを同一直線上に整列させることができ、ひいては、向かい合わせに突き合わされた一対の商品搬出装置の取付け用軸部材との係合部を共通の取り付け用軸部材に係合させることができる。この結果、部品点数が減少する。また、向かい合わせに突き合わされた一対の商品搬出装置の全体の厚みも、従来に比べて減少し、自動販売機が小型化される。
【０００６】
【発明の実施の形態】
以下の説明において、図１〜７の矢印Ｉ、ＩＩ、ＩＩＩ、ＩＶ、Ｖ、ＶＩの方向を、前方、後方、左方、右方、上方、下方と呼ぶ。
本発明の実施例に係る自動販売機の商品搬出装置を図１〜７に基づいて説明する。
図１に示すように、本実施例に係る自動販売機の商品搬出装置Ａは薄肉弁当箱状のケース１を備えている。ケース１は、長方形の面板１ａと、面板１ａの左右端部を前方へ折り曲げて形成した右フランジ１ｂ、左フランジ１ｃと、面板１ａの上下端部を前方へ折り曲げて形成した上フランジ１ｄ、下フランジ１ｅとを有している。
面板１ａの上部左右中央に略長方形の開口１ｆが形成されている。開口１ｆの縁部が前方へ折り曲げられてフランジ１ｇが形成されている。面板１ａの下部に略長方形の開口１ｈが形成されている。開口１ｈの左右縁部が前方へ折り曲げられて開口縁右フランジ１ｉ、開口縁左フランジ１ｊが形成され、上下縁部が前方へ折り曲げられて開口縁上フランジ１ｋ、開口縁下フランジ１ｍが形成されている。
【０００７】
右フランジ１ｂの高さ（面板１ａからの前方への突出量）は、左フランジ１ｃの高さよりも小さな値に設定されている。右フランジ１ｂと開口縁右フランジ１ｉとの間の左右方向距離は、左フランジ１ｃと開口縁左フランジ１ｊとの間の左右方向距離よりも小さな値に設定されている。下フランジ１ｅの高さは上フランジ１ｄの高さよりも小さな値に設定されている。
右フランジ１ｂの上端部１ｂ1 は上フランジ１ｄよりも上方へ突出している。右フランジ１ｂの下端部の前縁に凹段部１ｂ2 が形成されている。左フランジ１ｃの上端部１ｃ1 は上フランジ１ｄよりも上方へ突出している。上端部１ｃ1 の前縁に凹段部が形成されている。この結果、左フランジ１ｃの上端部１ｃ1 の高さ（面板１ａからの前方への突出量）は、右フランジ１ｂの上端部１ｂ1 の高さと同一値になっている。左フランジ１ｃの下端部の前縁に、右フランジ１ｂの凹段部１ｂ2 と相補形状の凸段部１ｃ2 が形成されている。左フランジ１ｃの下端に略半円形の凹部１ｃ3 が形成されている。
【０００８】
上フランジ１ｄの右端部の前縁に凹段部１ｄ1 が形成されている。凹段部１ｄ1 の左方に且つ凹段部１ｄ1 に隣接して上フランジ１ｄの右端近傍部の前縁に凸部１ｄ2 が形成されている。凸部１ｄ2 の前端部は上方へ折り曲げられている。上フランジ１ｄの左端部の前縁に凸部１ｄ3 が形成されている。凸部１ｄ3 の前端部は上方へ折り曲げられている。凸部１ｄ3 の高さ（面板１ａからの突出量）は凸部１ｄ2 の高さと同一値に設定されている。凸部１ｄ3 の右方に且つ凸部１ｄ3 に隣接して上フランジ１ｄの左端近傍部の前縁に凹部１ｄ4 が形成されている。
【０００９】
開口縁右フランジ１ｉの下端部は開口縁下フランジ１ｍ及び開口縁左フランジ１ｊの下端よりも下方ヘ延びており、且つ前方へ突出している。開口縁右フランジ１ｉの下端に略半円形の凹部１ｉ1 が形成されている。開口縁右フランジ１ｉの凹部１ｉ1 と左フランジ１ｃの凹部１ｃ3 とは左右方向に整列している。
開口縁左フランジ１ｊの上部に上下に延在する長孔１ｊ1 が形成され、下部に上下に延在する長孔１ｊ2 が形成されている。
【００１０】
開口１ｆ内に売り切れスイッチ２が配設されている。売り切れスイッチ２は、枠部材２ａと、上端部が左右に延在する軸線回りに回動可能に枠部材２ａに取り付けられたレバー２ｂと、レバー２ｂを下端部が面材１ａの後方へ突出する方向ヘ揺動付勢する図示しないバネと、枠部材２ａに固定されたマイクロスイッチ２ｃとを有している。レバー２ｂには、前方へ延びる屈曲した腕部２ｂ1 が一体形成されている。枠部材２ａは、一体形成された係止爪を縁材１ｇに形成された係止穴に係合させることにより、ケース１に取り付けられている。
【００１１】
電磁ソレノイド３が売り切れスイッチ２の左方に配設され、面板１ａに固定されている。電磁ソレノイド３のピストン３ａが下方へ差し向けられている。駆動板４がピストン３ａに取り付けられ下方へ延びている。駆動板４の上部左右側縁に後方への折り返し部４ａが形成されている。駆動板４の下端部に後方への巻き込み部４ｂが形成されている。
【００１２】
上下に延在する桁部材５が、駆動板４の右方に配設されている。桁部材５は開口縁上フランジ１ｋから開口縁下フランジ１ｍヘ差し渡されている。桁部材５の上部に上下に延在する長孔５ａが形成され、下部に上下に延在する長孔５ｂが形成されている。開口縁左フランジ１ｊの長孔１ｊ1 と桁部材５の長孔５ａとは左右方向に整列している。開口縁左フランジ１ｊの長孔１ｊ2 と桁部材５の長孔５ｂとは左右方向に整列している。
【００１３】
左右に延在する軸部材６が開口縁左フランジ１ｊの長孔１ｊ1 と桁部材５の長孔５ａとに挿通されている。軸部材６は駆動板４の折り返し部４ａを貫通している。
左右に延在する軸部材７が開口縁左フランジ１ｊの長孔１ｊ2 と駆動板４の巻き込み部４ｂと桁部材５の長孔５ｂとに挿通されている。
復帰バネ８が軸部材７の下方に配設されている。復帰バネ８の上端は駆動板４下端の巻き込み部４ｂに係止され、下端は下フランジ１ｅに係止されている。
【００１４】
開口１ｈ内に規制レバー９が配設されている。規制レバー９は、桁部材５の左右両側に延在している。規制レバー９の前面に且つ桁部材５の左右両側に、突起９ａが形成されている。突起９ａに、規制レバー９が直立した状態で前方から後方ヘ向けて斜め下向きにＵ型溝９ａ1 が形成されている。規制レバー９の前面右端下部に、回動規制爪９ｂが一体形成されている。回動規制爪９ｂは、規制レバー９の右端から右方へ突出している。軸部材６の右方部分が突起９ａのＵ型溝９ａ1 と係合している。左右に延在する軸部材１０が、開口縁右フランジ１ｉと桁部材５と開口縁左フランジ１ｊとを回動可能に貫通している。軸部材１０は規制レバー９の下端近傍部を貫通している。
【００１５】
開口１ｈ内に、且つ規制レバー９の下方に、搬出レバー１１が配設されている。搬出レバー１１は、桁部材５の左右両側に延在している。搬出レバー１１の前面下端近傍部に且つ桁部材５の左右両側に、突起１１ａが形成されている。軸部材７の右方部分が突起１１ａの前端部に当接している。左右に延在する軸部材１２が、開口縁右フランジ１ｉと桁部材５と開口縁左フランジ１ｊとを回動可能に貫通している。軸部材１２は搬出レバー１１の上端近傍部を貫通している。
【００１６】
保持片１３が、一体形成された係止爪を、下フランジ１ｅに形成された係止穴と、開口縁下フランジ１ｍに形成された係止穴とに係合させることにより、ケース１に取り付けられている。
【００１７】
商品搬出装置Ａは、図２、４、５で白抜き矢印で示すように、一対の商品搬出装置Ａを向かい合わせに突き合わせた状態で、図６に示すように、自動販売機の商品通路Ｂの側壁Ｃの下方に配設される。
図２、３から分かるように、一対の商品搬出装置Ａを向かい合わせに突き合わせた状態で、一方の商品搬出装置Ａの右フランジ１ｂが他方の商品搬出装置Ａの左フランジ１ｃに近接し、一方の商品搬出装置Ａの左フランジ１ｃが他方の商品搬出装置Ａの右フランジ１ｂに近接し、一方の商品搬出装置Ａの右フランジ１ｂの凹段部１ｂ2 が他方の商品搬出装置Ａの左フランジ１ｃの凸段部１ｃ2 に近接し、一方の商品搬出装置Ａの左フランジ１ｃの凸段部１ｃ2 が他方の商品搬出装置Ａの右フランジ１ｂの凹段部１ｂ2 に近接する。
【００１８】
図４から分かるように、一対の商品搬出装置Ａを向かい合わせに突き合わせた状態で、一方の商品搬出装置Ａの上フランジ１ｄの凹部１ｄ1 が他方の商品搬出装置Ａの上フランジ１ｄの凸部１ｄ3 に近接し、一方の搬出装置Ａの上フランジ１ｄの凸部１ｄ2 が他方の商品搬出装置Ａの上フランジ１ｄの凹部１ｄ4 に近接し、一方の商品搬出装置Ａの上フランジ１ｄの凹部１ｄ4 が他方の商品搬出装置Ａの上フランジ１ｄの凸部１ｄ2 に近接し、一方の商品搬出装置Ａの上フランジ１ｄの凸部１ｄ3 が他方の商品搬出装置Ａの上フランジ１ｄの凹部１ｄ1 に近接する。
【００１９】
図５から分かるように、一対の商品搬出装置Ａを向かい合わせに突き合わせた状態で、一方の商品搬出装置Ａの開口縁右フランジ１ｉが他方の商品搬出装置Ａの開口縁左フランジ１ｊに左右方向に隣接して寄り添い、一方の商品搬出装置Ａの開口縁左フランジ１ｊが他方の商品搬出装置Ａの開口縁右フランジ１ｉに左右方向に隣接して寄り添う。
【００２０】
図２、３、５から分かるように、一対の商品搬出装置Ａを向かい合わせに突き合わせた状態で、一方の商品搬出装置Ａの開口縁右フランジ１ｉの凹部１ｉ1 と、左フランジ１ｃの凹部１ｃ3 と、他方の商品搬出装置Ａの開口縁右フランジ１ｉの凹部１ｉ1 と、左フランジ１ｃの凹部１ｃ3 とは、左右方向に整列している。
【００２１】
図２、３、４から分かるように、一対の商品搬出装置Ａを向かい合わせに突き合わせた状態で、一方の商品搬出装置Ａの右フランジ１ｂの上端部１ｂ1 と上フランジ１ｄの凸部１ｄ2 との間の前後方向の隙間と、左フランジ１ｃの上端部１ｃ1 と上フランジ１ｄの凸部１ｄ3 との間の前後方向の隙間と、他方の商品搬出装置Ａの右フランジ１ｂの上端部１ｂ1 と上フランジ１ｄの凸部１ｄ2 との間の前後方向の隙間と、左フランジ１ｃの上端部１ｃ1 と上フランジ１ｄの凸部１ｄ3 との間の前後方向の隙間とは、左右方向に整列している。
【００２２】
図６及び図２〜５に示すように、自動販売機の商品通路Ｂの側壁Ｃの下方に、商品搬出装置Ａ取付け用の軸部材Ｄ、Ｅが、上下に間隔を隔てて左右に延在して配設されている。商品搬出装置Ａは、右フランジ１ｂの上端部１ｂ1 と上フランジ１ｄの凸部１ｄ2 とによって形成される右方から見て溝型の係合部と、左フランジ１ｃの上端部１ｃ1 と上フランジ１ｄの凸部１ｄ3 とによって形成される左方から見て溝型の係合部とを軸部材Ｄに係合させ、開口縁右フランジ１ｉの略半円形の凹部１ｉ1 と左フランジ１ｃの略半円形の凹部１ｃ3 とを軸部材Ｅに係合させた状態で自動販売機に取り付けられる。軸部材Ｅは、開口縁右フランジ１ｉの凹部１ｉ1 と左フランジ１ｃの凹部１ｃ3 と保持片１３とによって把持される。
【００２３】
商品搬出装置Ａの作動を説明する。
商品搬出装置Ａの電磁ソレノイド３が通電されていない時、図１に示すように、復帰バネ８が収縮し、軸部材７は長孔１ｊ2 、５ｂの下端に当接し、軸部材６は長孔１ｊ1 、５ａの下端に当接し、電磁ソレノイド３のピストン３ａは下方へ引き出されている。軸部材７は、搬出レバー１１の突起１１ａの前端部に当接し、搬出レバー１１の下端部を、面板１ａの後方ヘ突出させている。軸部材６は、規制レバー９のＵ型溝９ａ1 の最奥部に当接し、規制レバー９の揺動を規制して、規制レバー９のを直立させている。この時、図６で実線で示すように、搬出レバー１１が商品通路Ｂ内へ突出し、商品通路Ｂ内に中心軸線を左右に延在させて上下に積層して収納された複数の筒状商品１００中の最下端の商品１００に係合し、積層された複数の商品１００を支持している。積層された複数の商品１００から搬出レバー１１に加わる荷重は、軸部材１２と、突起１１ａが当接する軸部材７とによって支持される。規制レバー９はケース１内ヘ退却している。
【００２４】
ユーザーが自動販売機の商品選択ボタンを押すと、商品搬出装置Ａの電磁ソレノイド３が通電される。図７に示すように、電磁ソレノイド３のピストン３ａが上方へ引き込まれ、駆動板４が復帰バネ８の付勢力に逆らって上方へ移動する。軸部材７は駆動板４に付随して長孔１ｊ2 、５ｂに案内されつつ上方ヘ移動する。軸部材７と搬出レバー１１の突起１１ａの前端部との当接が解除され、搬出レバー１１は自重と商品１００の荷重とにより軸部材１２を中心にして揺動し、軸部材１２の下方に鉛直に垂下する。軸部材６は駆動板４に付随して長孔１ｊ1 、５ａに案内されつつ上方ヘ移動する。軸部材６は、規制レバー９のＵ型溝９ａ1 内を開放端へ向けて移動する。規制レバー９は自重により軸部材１０を中心にして揺動し、規制レバー９の上端が、面板１ａの後方ヘ突出する。規制レバー９の回動規制爪９ｂが、開口１ｈの側縁部に当接して、規制レバー９の揺動が停止する。この結果、図６で一点鎖線で示すように、搬出レバー１１が商品通路Ｂからケース１内ヘ退却し、規制レバー９が商品通路Ｂ内へ突出する。積層された複数の商品１００中の最下端の商品１００が搬出レバー１１の支持を失って落下し、商品通路Ｂから搬出される。落下した商品１００の上方の積層された複数の商品１００が僅かに下方へ移動する。規制レバー９が積層された複数の商品１００中の最下端の商品１００に係合し、積層された複数の商品１００を支持する。
【００２５】
商品１００の搬出後、電磁ソレノイド３への通電が停止される。復帰バネ８が収縮して軸部材７、６を下方へ移動させる。軸部材７が搬出レバー１１の突起１１ａの上縁に当接しつつ下方へ移動し、搬出レバー１１を軸部材１２を中心にして揺動させ、搬出レバー１１の下端部を面板１ａの後方ヘ突出させる。軸部材６が規制レバー９のＵ型溝９ａ1 の下縁に当接しつつ下方ヘ移動し、規制レバー９を軸部材１０の回りに揺動させ、規制レバー９の上端を開口１ｈへ向けて退却させる。軸部材７が長孔１ｊ2 、５ｂの下端に当接し、軸部材６が長孔１ｊ1 、５ａの下端に当接し、軸部材６、７の移動、規制レバー９、搬出レバー１１の揺動が停止する。この結果、商品搬出装置Ａは図１に示す状態となり、図６で実線で示すように、規制レバー９がケース１内へ退却し、搬出レバー１１が商品通路Ｂ内へ突出する。積層された複数の商品１００が僅かに下方へ移動する。搬出レバー１１が積層された複数の商品１００中の最下端の商品１００に係合し、積層された複数の商品１００を支持する。
【００２６】
商品通路Ｂ内の商品１００の残数が１になると、商品１００によって抑えられていた売り切れスイッチ２のレバー２ｂが、図示しないバネの付勢力の下に揺動し、レバー２ｂの下端部が図６で二点鎖線で示すように面材１ａの後方ヘ突出する。レバー２ｂの腕部２ｂ1 がマイクロスイッチ２ｃを押圧し、マイクロスイッチ２ｃがＯＮする。マイクロスイッチ２ｃから商品の売り切れ信号が図示しない制御装置ヘ送られる。制御装置は売り切れランプを点灯させて、ユーザーに商品の売り切れを知らせる。
【００２７】
商品搬出装置Ａにおいては、取付け用の軸部材Ｅに係合する略半円形の凹部を左フランジ１ｃの下端と、開口縁右フランジ１ｉの下端とに形成し、一対の商品搬出装置Ａを向かい合わせに突き合わせた時に、一方の商品搬出装置Ａの略半円形の凹部と他方の商品搬出装置Ａの略半円形の凹部とが互い違いになり、且つ同一直線上に整列するようにしたので、向かい合わせに突き合わせた一対の商品搬出装置Ａの略半円形の凹部を共通の軸部材Ｅに係合させることができ、従来の商品搬出装置に比べて取付け用の軸部材が減少し、且つ突き合わされた一対の商品搬出装置Ａ全体の厚みが従来の商品搬出装置に比べて減少した。商品搬出装置Ａにおいて、軸部材Ｅに係合する略半円形の凹部を従来の商品搬出装置のようにケース１の右フランジ１ｂ、左フランジ１ｃの下端に形成すると、一対の商品搬出装置を向かい合わせに突き合わせて自動販売機に取り付ける際に、２本の軸部材Ｅが必要になり、突き合わされた一対の商品搬出装置全体の厚みも現状より増加する。
【００２８】
商品搬出装置Ａにおいては、取付け用の軸部材Ｄとの係合部を、右フランジ１ｂの上端部１ｂ1 と上フランジ１ｄの前端が屈曲した突起１ｄ2 と、左フランジ１ｃの上端部１ｃ1 と上フランジ１ｄの前端が屈曲した突起１ｄ3 とにより形成し、一対の商品搬出装置Ａを向かい合わせに突き合わせた時に、一方の商品搬出装置Ａの軸部材Ｄとの係合部と他方の商品搬出装置Ａの軸部材Ｄとの係合部とが互い違いになり、且つ同一直線上に整列するようにしたので、向かい合わせに突き合わせた一対の商品搬出装置Ａの係合部を共通の軸部材Ｄに係合させることができ、従来の商品搬出装置に比べて取付け用の軸部材が減少し、且つ突き合わされた一対の商品搬出装置Ａ全体の厚みが従来の商品搬出装置に比べて減少した。
【００２９】
以上本発明の実施例を説明したが、本発明は上記実施例に限定されない。
商品搬出装置Ａにおいて、軸部材Ｄとの係合部を軸部材Ｅとの係合部と同様の構成にしても良い。
【００３０】
【発明の効果】
本発明に係る自動販売機の商品搬出装置においては、商品通路の下端部に配設された軸部材との係合部が、ケースの一側のフランジと、該フランジに対峙する他側のフランジに近接して面板に且つ前記開口縁に立設されたフランジとに形成されているので、一対の商品搬出装置を向かい合わせに突き合わせても、一方の商品搬出装置の取付け用軸部材との係合部と、他方の商品搬出装置の取付け用軸部材との係合部とは、互い違いになり、突き合わされない。従って、フランジの高さを調整することにより、一対の商品搬出装置を向かい合わせに突き合わせた状態で、一方の商品搬出装置の取付け用軸部材との係合部と、他方の商品搬出装置の取付け用軸部材との係合部とを同一直線上に整列させることができ、ひいては、向かい合わせに突き合わされた一対の商品搬出装置の取付け用軸部材との係合部を共通の取り付け用軸部材に係合させることができる。この結果、部品点数が減少する。また、向かい合わせに突き合わされた一対の商品搬出装置の全体の厚みも、従来に比べて減少し、自動販売機が小型化される。
【図面の簡単な説明】
【図１】本発明の実施例に係る自動販売機の商品搬出装置の斜視図である。
【図２】一対の本発明の実施例に係る自動販売機の商品搬出装置を向かい合わせに突き合わせた状態での商品搬出装置の右側面図である。
【図３】一対の本発明の実施例に係る自動販売機の商品搬出装置を向かい合わせに突き合わせた状態での商品搬出装置の左側面図である。
【図４】一対の本発明の実施例に係る自動販売機の商品搬出装置を向かい合わせに突き合わせた状態での商品搬出装置の上面図である。
【図５】一対の本発明の実施例に係る自動販売機の商品搬出装置を向かい合わせに突き合わせた状態での商品搬出装置の底面図である。
【図６】一対の本発明の実施例に係る自動販売機の商品搬出装置を向かい合わせに突き合わせて自動販売機の商品通路の下端部に取り付けた状態での商品搬出装置の右側面図である。
【図７】本発明の実施例に係る自動販売機の商品搬出装置の斜視図である。
【符号の説明】
Ａ  商品搬出装置
Ｂ  商品通路
Ｃ  商品通路の側壁
Ｄ、Ｅ  取付け用の軸部材
１  ケース
２  売り切れスイッチ
３  電磁ソレノイド
４  駆動板
５  桁部材
６、７  軸部材
８  復帰バネ
９  規制レバー
１０、１２  軸部材
１１  搬出レバー
１３  保持片
【図１】
0003987621.tif 000002
【図２】
0003987621.tif 000003
【図３】
0003987621.tif 000004
【図４】
0003987621.tif 000005
【図５】
0003987621.tif 000006
【図６】
0003987621.tif 000007
【図７】
0003987621.tif 000008